(57)【特許請求の範囲】
【請求項１】
前後に隔てる仕切壁を含む周壁部によって形成された前後２つの収納部を有する容器本体と、
該容器本体の後端部に蝶番を介して開閉自在に設けられた外蓋と、
該外蓋で上記容器本体を閉止するためにこれら両者の前端部に設けられたフック手段と、
上記容器本体の前側収納部に着脱自在に収納される気密レフィル容器とを備え、
該気密レフィル容器は化粧料の収容部を有する器体に該収容部内方を気密に閉止する内蓋を開閉自在に取り付けるヒンジと、上記器体と上記内蓋との閉止状態を保持する係合手段とを有し、
上記容器本体の前側収納部を形成する外周壁部の内縁部に、上方及び当該前側収納部の内方に向かって開放して、上記気密レフィル容器の上記ヒンジを挿着するための凹部を形成したことを特徴とする気密化粧料容器。
【請求項２】
上記容器本体の前端部に、上記フック手段の解除操作部と上記係合手段の解除操作部とを一体的に形成した解除手段を設けたことを特徴とする請求項１に記載の気密化粧料容器。
【発明の詳細な説明】
【０００１】
【発明の属する技術分野】
本発明は、前後に並んだ２つの収納部を有する容器本体の一方の収納部に化粧料を収容するレフィル容器を着脱自在に設け、該レフィル容器に内方を気密状態に保つ内蓋を設けた気密化粧料容器に関する。
【０００２】
【従来の技術】
この種の気密化粧料容器としては、例えば特開平１０−１９２０４４号公報に開示されるものが従来存在する。この気密化粧料容器は容器本体および内面にミラーを有する外蓋の後端部が蝶番によって開閉可能に枢着され、前端側にはフック手段が設けられている。
【０００３】
容器本体内は、略中央で仕切壁によって前後２つに仕切られ、後側にはパフ等の化粧具収納部が設けられ、前側には化粧料を収容する皿体が嵌着された化粧料収納部が設けられている。
【０００４】
これら２つの収納部を仕切る仕切壁の略中央には、後方と上方に向かって開放された凹部内に左右方向に蝶番ピンが設けられている。この蝶番ピンには、皿体及び容器本体と別体の内蓋が回動自在に取り付けられ、この内蓋は、その前端部に設けられた係合片が容器本体に設けられたフック片と係合して化粧料収納部を密閉して気密状態を保持している。
【０００５】
即ち、蝶番ピンは、化粧料収納部の後方に左右に指向して設けられ、この蝶番ピンに取り付けられている内蓋は、前後方向に回転して開閉される。
【０００６】
従って、この気密化粧料容器は、使用時に、外蓋を閉止しているフック手段を解除して外蓋を開放し、次に内蓋を閉止している係合手段を解除して内蓋を開放して化粧料を露出させ使用する。
【０００７】
【発明が解決しようとする課題】
しかしながら、かかる従来の気密化粧料容器にあっては、気密化粧料容器に収納される化粧料は揮発性が高いため、製造工程でも化粧料充填直後に容器を密閉することが望ましいが、従来の化粧料容器では、化粧料収納部を閉止する内蓋も、化粧料を充填する皿体も容器本体とは別体なので、化粧料を皿体に充填し直後に皿体を容器本体に組み込み、さらに内蓋を取り付けて皿体を閉じる必要があり、組立性が悪いばかりでなく化粧料を充填した皿体をストックすることができないため、生産性を高めることができず、また、化粧料を充填した皿体をストックするためには、本来必要としない製造工程専用の蓋を別途設ける必要があり、いずれにしても化粧料容器のコストアップを余儀なくされてしまうという課題があった。
【０００８】
また、化粧料収納部内の化粧料を使用する際には、まず外蓋を閉止しているフック手段を解除して外蓋を開き、次に化粧料収納部の内蓋を閉止している係合手段を解除して内蓋を開くという二度の手間がかかり、操作性を悪化させているという課題があった。
【０００９】
そこで、本発明はかかる従来の課題に鑑みて、取り扱い時の操作性を向上させつつ、製造性の向上を図って安価な気密化粧料容器を提供することを目的とする。
【００１０】
【課題を解決するための手段】
かかる目的を達成するために本発明の請求項１に示す気密化粧料容器では、前後に隔てる仕切壁を含む周壁部によって形成された前後２つの収納部を有する容器本体と、該容器本体の後端部に蝶番を介して開閉自在に設けられた外蓋と、該外蓋で上記容器本体を閉止するためにこれら両者の前端部に設けられたフック手段と、上記容器本体の前側収納部に着脱自在に収納される気密レフィル容器とを備え、該気密レフィル容器は化粧料の収容部を有する器体に該収容部内方を気密に閉止する内蓋を開閉自在に取り付けるヒンジと、上記器体と上記内蓋との閉止状態を保持する係合手段とを有し、上記容器本体の前側収納部を形成する外周壁部の内縁部に、上方及び当該前側収納部の内方に向かって開放して、上記気密レフィル容器の上記ヒンジを挿着するための凹部を形成した。
【００１１】
また、請求項２に示す気密化粧料容器では、上記容器本体の前端部に、上記フック手段の解除操作部と上記係合手段の解除操作部とを一体的に形成した解除手段を設けた。
【００１２】
以上の構成により本発明の気密化粧料容器の作用を以下に述べると、容器本体に着脱可能に収納される気密レフィル容器に化粧料を収容し、その気密レフィル容器には、化粧料の収容部を気密状態に保つ内蓋を設けたので、製造工程において、化粧料を充填した直後に内蓋を閉じて内方を気密状態に保つことができるため、化粧料の揮発を防ぐことができると共に、予め気密レフィル容器に化粧料を充填してストックすることもでき、効率よく作業できると共に、容易に大量生産することが可能である。さらに、製造工程から製品形態の内蓋を用いているので、製造工程専用の蓋を必要とせず、無駄な費用が発生せず、気密化粧料容器のコストを下げることができる。
【００１３】
また、前側収納部を形成する外周壁部の内縁部に、上方及び当該前側収納部の内方に向かって開放して、気密レフィル容器のヒンジを挿着するための凹部を設けたので、気密レフィル容器を収納する前側収納部と繋がった一つの空間として凹部を形成することができる。従って、ヒンジを器体の側方に設け、そのヒンジを凹部に挿入することができるため、容器本体上に突出するヒンジの高さを低くすることができ、気密化粧料容器全体の厚さを薄くして携帯性を向上させることができる。さらに、上記外周壁部の内縁部に凹部を設けたので、凹部が容器本体の外方に貫通しないと共に、その凹部にヒンジを挿入したので、ヒンジが容器本体の外方に露出しないため、気密化粧料容器の外観美を損なわない。
【００１４】
また、請求項２にかかる気密化粧料容器では、上記容器本体の前端部に外蓋のフック手段と内蓋の係合手段の解除操作部とを一体的に形成した解除手段を設けたので、化粧料使用時に開放しなければならない外蓋と内蓋とを、一動作によって開放することができ、操作性を向上させることができる。
【００１５】
【発明の実施の形態】
以下、本発明の実施形態を添付図面を参照して詳細に説明する。
【００１６】
図１から図５に示すように、本実施形態の化粧料容器１は、外周形状を略長方形をなす容器本体１０と内面にミラー４２を有する外蓋３０と化粧料の収容部５２を有する気密レフィル容器５０とを主要部品として構成されている。
【００１７】
容器本体１０は外周壁部１０ａとこの外周壁部１０ａの内側に前後方向略中央に左右方向を指向して配置される仕切壁１０ｂと底部１０ｃとで２つの収納部１２，１３が隔成され、外周壁部１０ａの後側略半分の内面と仕切壁１０ｂの後側壁面とを周壁部１２ａとする後側収納部１２にはパフ等の化粧具１５が収納され、外周壁部１０ａの前側略半分の内面と仕切壁１０ｂの前側壁面とを周壁部１３ａとする前側収納部１３には気密レフィル容器５０が収納されている。
【００１８】
前側収納部１３の周壁部１３ａの四隅近傍の前後内面には、前側収納部１３の内方に向かって嵌合突起１３ｂが設けられ、底部１０ｃには開口１０ｄが設けられている。
【００１９】
また、容器本体１０の前端側中央には、前方及び上方に向かって開放された凹部１４が設けられると共に、凹部１４の前側壁面には、前方に向かって係合突起１６が設けられ、後端側中央には後方及び上下方向に開放された凹部１８が設けられている。
【００２０】
さらに、前側収納部１３の左の周壁部２０には、上方及び前側収納部１３の内方に向かって開放された凹部２２が設けられている。
【００２１】
外蓋３０は、上記容器本体１０の外周壁部１０ａと上下に重なり略同型状の外蓋外周壁部３０ａと、内面にミラー４２が取り付けられている天部３０ｂとから構成されている。
【００２２】
外蓋３０の後端部には、容器本体１０の凹部１８に入り込んで蝶番３を形成する突部３２が設けられ、前端側には容記本体１０の凹部１４に入り込んで係合突起１６と共にフック手段５を構成する係合部３４が設けられている。
【００２３】
この係合部３４の後方側の面には、係合突起１６と係脱自在に係合片３６が設けられている。
【００２４】
気密レフィル容器５０は、前側収納部１３の周壁部１３ａと略同形状の外形をなし、化粧料の収容部５２を有する器体５０ａと、収容部５２を開閉自在に密閉して、その内方を気密状態に保持する内蓋７０と、この内蓋７０を回動自在に支持する突部５６で構成されている。
【００２５】
器体５０ａの略中央には、化粧料を収容する円形に窪ませて形成された収容部５２が設けられ、収容部５２の外周には、その外周に沿って溝部５４が設けられ、溝部５４の外周壁５４ａには、その内方に向かって３つのフック片６２が、その外周壁５４ａに沿って等間隔に設けられ、そのうち１つは、前記突部５６の反対側に設けられている。さらに、収容部５２の周縁から溝部５４の内周壁にわたって、環状のシール部材６０が取り付けられている。
【００２６】
また、器体５０ａの外周には、凹部５８が設けられ、容器本体１０の嵌合突起１３ｂと嵌合して気密レフィル容器５０を容器本体１０に収納すると共に、収容部５２の左側に位置する器体５０ａの外周上端には、内蓋７０を開閉自在に蝶着するヒンジ６４を形成する突部５６が、離間して２つ設けられている。
【００２７】
また、内蓋７０は、略円形平板の蓋体部７２と、これに突設された円筒状の側壁部７４と、前記突部５６と共にヒンジ６４を形成する支持部７６とで主に構成されている。
【００２８】
蓋体部７２の上面には、上方に隆起し外蓋３０の閉止状態でミラー４２に押圧される突部７２ａが形成され、下面には、内蓋７０閉止状態で器体５０ａの溝部５４に挿入される上記側壁部７４が設けられ、その内側にシール部材６０に対向させて突出され、当該シール部材６０を押圧するシール部材押圧部７８が設けられている。また、蓋体部７２には、その側方に設けられ、器体５０ａの突部５６、５６の間に入り込んでヒンジ６４を形成する支持部７６が設けられ、支持部７６の反対側には、蓋体部７２から外方に延出させて取手部８０が形成されている。
【００２９】
前記側壁部７４の外周には、内蓋７０の閉止状態で前記溝部５４のフック片６２と係合する位置に、突片７４ａが設けられている。
【００３０】
そして、これらの部品は、以下のように組み合わされて気密化粧料容器１を形成している。
【００３１】
容器本体１０の後端の凹部１８には、外蓋３０後端の突部３２が入り込み、容器本体１０と外蓋３０とに跨って蝶番ピン８８、８８が挿入されて蝶番３が形成されている。
【００３２】
容器本体１０と外蓋３０とが閉止状態にあるときには、容器本体１０の凹部１４の係合突起１６と、外蓋３０の係合片３６とが係合し、フック手段５をなし、容器本体１０と外蓋３０とを閉止状態に保持すると共に、内蓋７０の突部７２ａをミラー４２が押圧し、内蓋７０を確実に閉止している。
【００３３】
また、容器本体１０の前側収納部１３には、周壁部１３ａの嵌合突起１３ｂと気密レフィル容器５０の凹部５８とが係合されると共に、容器本体１０の左の周壁部２０に設けられた凹部２２に、気密レフィル容器５０のヒンジ６４が配置されて、気密レフィル容器５０が嵌合されている。
【００３４】
さらに、内蓋７０は、ヒンジ６４によって回動自在に枢着され、内蓋７０の閉止状態では、内蓋７０下面の側壁部７４外周の突片７４ａと気密レフィル容器５０のフック片６２が係合し、側壁部７４の内周面が溝部５４の内周面のシール部材６０に接すると共に、蓋体部７２下面のシール部材押圧部７８がシール部材６０を上方から押圧して、収容部５２を気密状態に保持している。
【００３５】
即ち、この気密化粧料容器１は、前端側のフック手段５を解除して、後端側蝶番３により外蓋３０を後方に回転移動して開放し、次に左の周壁部２０の凹部２２に配されたヒンジ６４により内蓋７０を左方向に回転して容器本体１０の外側に移動させて内蓋７０を開放し化粧料を露出させる。
【００３６】
以上の構成により本実施形態の気密化粧料容器１では、容器本体１０に着脱可能に収納される気密レフィル容器５０に化粧料を収容し、その気密レフィル容器５０には、化粧料の収容部５２を気密状態に保つ内蓋７０を設けたので、製造工程において、化粧料を充填した直後に内蓋７０を閉じて内方を気密状態に保つことができるため、化粧料の揮発を防ぐことができると共に、予め気密レフィル容器５０に化粧料を充填してストックすることもでき、効率よく作業できると共に、容易に大量生産することが可能である。さらに、製造工程から製品形態の内蓋７０を用いているので、製造工程専用の蓋を必要とせず、無駄な費用が発生せず、気密化粧料容器１のコストを下げることができる。
【００３７】
また、前側収納部１３の左の周壁部２０の内縁部に凹部２２を設けたので、気密レフィル容器５０を収納する前側収納部１３と繋がった一つの空間として凹部２２を形成することができる。従って、ヒンジ６４を器体５０ａの側方に設け、そのヒンジ６４を凹部２２に挿入することができるため、容器本体１０上に突出するヒンジ６４の高さを低くすることができ、気密化粧料容器１全体の厚さを薄くして携帯性を向上させることができる。さらに、上記外周壁部１０ａの内縁部に凹部２２を設けたので、凹部２２が容器本体１０の外方に貫通しないと共に、その凹部２２にヒンジ６４を挿入したので、ヒンジ６４が容器本体１０の外方に露出しないため、気密化粧料容器１の外観美を損なわない。
【００３９】
図６〜図１１は本願の第２発明の実施形態を示し、前記実施形態と同一構成部分と同一符号を付して重複する説明を省略して述べる。
【００４０】
本実施形態は、容器本体１０の前端の凹部１４に形成される外蓋３０のフック手段５の前方にフック手段５及び内蓋７０の係合手段の解除手段９０をなす解除操作部９２を設けたものである。
【００４１】
容器本体１０の前端部の凹部１４後方の外周壁部１０ａ上端には、前記凹部１４の左右の側壁１４ａと繋がった壁面を有し、気密レフィル容器５０の収納部１３に貫通する溝部９４が設けられ、前記左右の側壁１４ａの前端及び上端近傍の対向する位置には小孔が設けられている。
【００４２】
気密レフィル容器５０の器体５０ａの前端外周部上面には、気密レフィル容器５０が容器本体１０の収納部１３に収納された状態で上記溝部９４と繋がるように前方と上下方向に開放された凹部５０ｃが設けられている。
【００４３】
上記解除操作部９２は、凹部１４の幅より僅かに狭い幅の鉛直面をなす略板状の操作部９２ａと、この操作部９２ａの後側面上端の左右角部から後方に向かって垂直に突出された棒状の解除部９２ｂと、操作部９２ａ側面の上端近傍に突設され前記凹部１４の小孔に挿入されて解除操作部９２を回動自在に支持する支持部９２ｃとで構成されている。操作部９２ａの下端には、前方に隆起して突部が設けられ、解除部９２ｂの後端上面には段状に切り欠かれた段部９２ｄが設けられている。
【００４４】
また、気密レフィル容器５０の溝部５４の外周壁５４ａには、その内方に向かって３つのフック片６２が外周壁５４ａに沿って等間隔に設けられ、そのうち１つは、前方中央に設けられている。また、内蓋７０の側壁部７４の外周には、内蓋７０の閉止状態で前記フック片６２と係合する位置に突片７４ａが設けられている。
【００４５】
そして、これらは以下のように組み合わされて、解除手段９０を形成している。
【００４６】
容器本体１０の前端部の凹部１４には、その左右側壁１４ａに設けられた小孔に解除操作部９２の左右側面の支持部９２ｃが挿入され、解除部９２ｂは、容器本体１０の溝部９４と気密レフィル容器５０の凹部５０ｃに入り込んでいる。即ち、解除操作部９２は、操作部９２ａ側面の支持部９２ｃを中心として回動自在に設けられ、操作部９２ａの鉛直面が容器本体１０の前端部に露出し、解除部９２ｂは、溝部９４に入り込んだ部分が外蓋３０の下方に位置し、解除部９２ｂの段部９２ｄが凹部５０ｃに入り込み内蓋７０の下方に位置している。従って、解除操作部９２の操作部９２ａを前方から押圧すると、支持部９２ｃを中心に解除操作部９２が回動し、解除部９２ｂが上方に回転移動して、外蓋３０と内蓋７０を上方に押し上げ、外蓋３０のフック手段５と内蓋７０の係合手段を解除する。
【００４７】
以上の構成により本実施形態の気密化粧料容器１では、上記容器本体１０の前端部に外蓋３０のフック手段５と内蓋７０の係合手段の解除操作部９２を一体的に形成した解除手段９０を設けたので、化粧料使用時に開放しなければならない外蓋３０と内蓋７０とを、一動作によって開放することができ、極めて操作性が向上する。また、解除部９２ｂの内蓋７０を押し上げる部分に段部９２ｄを設けたので、段部９２ｄの設定した高さによって、外蓋３０のフック手段５と内蓋７０の係合手段の解除するタイミングをずらすことができ、化粧料を使わずにミラー４２のみを使用する場合には、内蓋７０を開放せずに気密レフィル容器５０内の気密状態を保持したままで、外蓋３０を開放してミラー４２を使用することができるという極めて優れた効果を奏する。
【００４８】
【発明の効果】
以上説明したように本発明の請求項１に示す化粧料容器にあっては、容器本体に着脱可能に収納される気密レフィル容器に化粧料を収容し、その気密レフィル容器には、化粧料の収容部を気密状態に保つ内蓋を設けたので、製造工程において、化粧料を充填した直後に内蓋を閉じて内方を気密状態に保つことができるため、化粧料の揮発を防ぐことができると共に、予め気密レフィル容器に化粧料を充填してストックすることもでき、効率よく作業できると共に、容易に大量生産することが可能である。さらに、製造工程から製品形態の内蓋を用いているので、製造工程専用の蓋を必要とせず、無駄な費用が発生せず、気密化粧料容器のコストを下げることができる。
【００４９】
また、前側収納部を形成する外周壁部の内縁部に、上方及び当該前側収納部の内方に向かって開放して、気密レフィル容器のヒンジを挿着するための凹部を設けたので、気密レフィル容器を収納する前側収納部と繋がった一つの空間として凹部を形成することができる。従って、ヒンジを器体の側方に設け、そのヒンジを凹部に挿入することができるため、容器本体上に突出するヒンジの高さを低くすることができ、気密化粧料容器全体の厚さを薄くして携帯性を向上させることができる。さらに、上記外周壁部の内縁部に凹部を設けたので、凹部が容器本体の外方に貫通しないと共に、その凹部にヒンジを挿入したので、ヒンジが容器本体の外方に露出しないため、気密化粧料容器の外観美を損なわない。
【００５０】
また、請求項２にかかる気密化粧料容器では、上記容器本体の前端部に外蓋のフック手段と内蓋の係合手段の解除操作部とを一体的に形成した解除手段を設けたので、化粧料使用時に開放しなければならない外蓋と内蓋とを、一動作によって開放することができ、さらに操作性を向上させることができる。
【図面の簡単な説明】
【図１】  本願の第１発明の第１実施形態の外蓋及び内蓋を開けた状態の平面図である。
【図２】  本願の第１発明の第１実施形態の主要構成部品を示す分解斜視図である。
【図３】  本願の第１発明の第１実施形態の前後方向に破断した場合の断面図である。
【図４】  本願の第１発明の第１実施形態の左右方向に破断した場合の断面図である。
【図５】  本願の第１発明の第１実施形態の内蓋を開けた状態を示す左右方向に破断した場合の断面図である。
【図６】  本願の第２発明の実施形態の外蓋及び内蓋を開けた状態の平面図である。
【図７】  本願の第２発明の実施形態の主要構成部品を示す分解斜視図である。
【図８】  本願の第２発明の実施形態の前後方向に破断した場合の断面図である。
【図９】  第２発明の実施形態の外蓋及び内蓋閉止状態における解除手段の断面図である。
【図１０】  第２発明の実施形態の外蓋のみを開けた状態を示す解除手段の断面図である。
【図１１】  第２発明の実施形態の外蓋のフック手段及び内蓋の係合手段を解除した状態の解除手段の断面図である。  
【符号の説明】
１  気密化粧料容器                    ３  蝶番
５  フック手段                      １０  容器本体
１０ａ  外周壁部                      １０ｂ  仕切壁
１０ｃ  底部                          １２  後側収納部
１３  前側収納部                      １５  化粧具
２０  左の周壁部                      ２２  凹部
３０  外蓋                            ３０ａ  側壁部
３０ｂ  天部                          ３２  突部
５０  気密レフィル容器                ５０ａ  器体
５２  収容部                          ５４  溝部
６４  ヒンジ                          ７０  内蓋
７２  蓋体部                          ７４  側壁部
７６  支持部                          ９０  解除手段
９２  解除操作部                      ９２ａ  操作部
９２ｂ  解除部                        ９２ｃ  支持部
９２ｄ  段部                          ９４  溝部
【図１】
0004263282.tif 000002
【図２】
0004263282.tif 000003
【図３】
0004263282.tif 000004
【図４】
0004263282.tif 000005
【図５】
0004263282.tif 000006
【図６】
0004263282.tif 000007
【図７】
0004263282.tif 000008
【図８】
0004263282.tif 000009
【図９】
0004263282.tif 000010
【図１０】
0004263282.tif 000011
【図１１】
0004263282.tif 000012